(57)【要約】【課題】音楽を聴くことができる耳栓を提供する。【解決手段】耳栓１は、電気信号を音声に変換するドライバユニット２と、ドライバユニット２を外耳道に向けて保持する遮音部材３と、を有する。遮音部材３は、外耳道を閉塞可能である。遮音部材３は、伸縮性及び柔軟性を有する。遮音部材３は、ドライバユニット２の全体を収容する収容室４を有する。収容室４の開口部４ａは、樹脂５で閉塞されている。樹脂５は、遮音部材３及びケーブル６と結合している。【選択図】図３
2020078477.tif 000002
【特許請求の範囲】
【請求項１】
電気信号を音声に変換するドライバユニットと、当該ドライバユニットを外耳道に向けて保持する遮音部材と、を有し、
前記遮音部材は、外耳道を閉塞可能であり、
前記遮音部材は、伸縮性及び柔軟性を有し、
前記遮音部材は、前記ドライバユニットの全体を収容する収容室を有し、
前記収容室の開口部は、樹脂で閉塞されている、耳栓。
【請求項２】
前記遮音部材と前記樹脂は互いに結合している、請求項１記載の耳栓。
【請求項３】
前記ドライバユニットに一端が接続され、多端が前記樹脂から外に延びるケーブルを有し、
前記ケーブルは、前記樹脂と結合している、請求項１又は２記載の耳栓。
【請求項４】
前記遮音部材は、外耳道に挿入可能であり、
前記収容室の開口部は、前記遮音部材の外耳道への反挿入側端部に設けられている、請求項１乃至３のいずれかに記載の耳栓。
【請求項５】
前記遮音部材は、前記ドライバユニットの側壁と外耳道の内壁との間を埋める振動伝達材である、請求項１乃至４のいずれかに記載の耳栓。
【請求項６】
前記遮音部材は、比較的低域の音に比べて比較的高域の音に対する遮音性が高い、請求項１乃至５のいずれかに記載の耳栓。
【請求項７】
前記遮音部材は、低反発フォーム又は低反発ゴムである、請求項１乃至６のいずれかに記載の耳栓。
【発明の詳細な説明】
【技術分野】
【０００１】
本発明は、耳栓に関する。
【背景技術】
【０００２】
騒音対策等のために耳栓が使用される。
【発明の概要】
【発明が解決しようとする課題】
【０００３】
耳栓では音楽などを聴くことができない。
【０００４】
本発明が解決しようとする課題は、音楽などを聴くことができる耳栓を提供することにある。
【課題を解決するための手段】
【０００５】
一実施形態の耳栓は、
電気信号を音声に変換するドライバユニットと、当該ドライバユニットを外耳道に向けて保持する遮音部材と、を有し、
前記遮音部材は、外耳道を閉塞可能であり、
前記遮音部材は、伸縮性及び柔軟性を有し、
前記遮音部材は、前記ドライバユニットの全体を収容する収容室を有し、
前記収容室の開口部は、樹脂で閉塞されている。
【図面の簡単な説明】
【０００６】
【図１】一実施形態に係る耳栓の斜視図
【図２】図１に示す耳栓の側面面
【図３】図１に示す耳栓の断面面
【発明を実施するための形態】
【０００７】
図１乃至図３に示すように、一実施形態の耳栓１は、電気信号を音声に変換するドライバユニット２と、ドライバユニット２を外耳道（不図示）に向けて保持する遮音部材３と、ケーブル６と、を有している。
【０００８】
遮音部材３は、外耳道を閉塞可能である。
遮音部材３は、伸縮性及び柔軟性を有する。
遮音部材３は、外耳道に挿入可能である。
遮音部材３は、ドライバユニット２の側壁（外周面）２ａと外耳道の内壁との間を埋める振動伝達材である。
遮音部材３は、比較的低域の音に比べて比較的高域の音に対する遮音性が高い性質を有している。
遮音部材３は、低反発フォーム又は低反発ゴムである。遮音部材３の素材の例として、低反発ポリウレタンを挙げることができる。低反発ポリウレタンからなる遮音部材３は、圧縮されると変形し、圧縮されなくなると、元の形状にゆっくりと戻る。遮音部材３は、外耳道の内壁に気密に密着する。これにより、高い遮音性が得られる。
遮音部材３は、これを貫通する貫通孔を有していない。
遮音部材３は、ドライバユニット２の全体を収容する収容室４を有する。
【０００９】
収容室４は、円筒状である。
収容室４の開口部４ａは、樹脂５で閉塞されている。
収容室４の開口部４ａは、遮音部材３の外耳道への反挿入側端部３ａに設けられている。
【００１０】
反挿入側端部３ａは、遮音部材３のを外耳道に正しく挿入したときに、外耳道の外に向く側の端部である。挿入側端部３ｂは、遮音部材３のを外耳道に正しく挿入したときに、外耳道の奥に向く側の端部である。
【００１１】
ドライバユニット２は、入力電気信号に基づく放音（音響再生）を行う。ドライバユニット２の形状は、円柱状である。ドライバユニット２は、収容室４と互いに同軸に配置されている。ドライバユニット２の外周面２ａと収容室４の内周面４ｂは互いに接している。ドライバユニット２の先端面（放音部）２ｂは、収容室４の最奥面４ｃに面している。
【００１２】
ケーブル６は、図示しない再生装置からの電気信号をドライバユニット２に伝達する。ケーブル６の一端は、ドライバユニット２の信号端子４ｄに接続されている。ケーブル６の他端側は、樹脂５から外に延びている。
【００１３】
樹脂５は、ドライバユニット２を収容室４に収容した後に、開口部４ａから収容室４に注入される。樹脂５の例として、熱硬化樹脂、紫外線硬化樹脂、等を挙げることができる。樹脂５は、収容室４に注入された後、硬化する。樹脂５は、硬化すると同時に、遮音部材３と強固に結合する。これにより、ドライバユニット２が遮音部材３に固定される。樹脂５は、硬化すると同時に、ケーブル６のシース６ａと強固に結合する。これにより、ケーブル６に掛かる力が、リード線６ｂと信号端子４ｄとの接続部に作用するのを防止することができる。よって、ケーブル６に所謂抜け止め用の結び目を設ける必要がなくなる。ケーブル６に抜け止め用の結び目による大曲率部が形成されないことで、曲げによるケーブル６の電気特性の悪化を回避できる。
【００１４】
遮音部材３は、その大部分が外耳道内に挿入される。遮音部材３は、ドライバユニット２を外耳道の奥に向けて保持する。遮音部材３は、外耳道の内壁に密着する。
【００１５】
遮音部材３は、ドライバユニット２と外耳道の内壁との間を埋める。ドライバユニット２と外耳道の内壁との間は、遮音部材３により、振動伝達可能に接続される。
【００１６】
遮音部材３は、ドライバユニット２から放音される音の伝達媒体となる。ドライバユニット２から放音された音の一部は、遮音部材３は、を通過する。遮音部材３は、ドライバユニット２から放音された音のエネルギーを一部吸収する。その吸収されたエネルギーの一部は、遮音部材３を媒体とする振動のエネルギーである。
【００１７】
ドライバユニット２の放音部２ｂから出た音の一部は、遮音部材３を介して外耳道の奥側（鼓膜側）の空間に放音（空気振動として放出）される。ドライバユニット２の放音部２ｂから出た音の一部は、遮音部材３を伝って外耳道の内壁に伝達される。外耳道の内壁に伝達される音（振動）には、遮音部材３を媒体とする固体振動が含まれる。ドライバユニット２の振動の一部は、遮音部材３を介して外耳道の内壁に伝達される。
【００１８】
上記のように構成された一実施形態の耳栓１は、ドライバユニット２の放音部２ｂから出た音を、音導管（不図示）を通さずに外耳道内に放音する。また、耳栓１は、ドライバユニット２と外耳道の内壁とを、遮音部材３を介して振動伝達可能に接続する。このため、耳栓１は、音導管を有するカナル型イヤホンと比較して中低音再現性が良い。
【００１９】
また、耳栓１は、非貫通型の遮音部材３を備えている。このため、耳栓１は、貫通型のイヤプラグを備えたイヤホンと比較して低音再現性が良い。これは、遮音部材３が、比較的高域の音に対する遮音性（吸音性）が高い性質を持つことによる。すなわち、ドライバユニット２の放音部２ｂから出た音は、遮音部材３を経ることにより、高域成分に対し低域成分が相対的に増幅される。
【００２０】
また、耳栓１は、ドライバユニット２の振動（放音部２ｂから出た音及びドライバユニット２自体の振動を含む）を、遮音部材３を介して外耳道の内壁に伝達するので、ドライバユニット２による再生音を、空気の振動のみならず、皮膚及び骨の振動によって、聴覚器官（耳小骨、渦巻管、等）に伝達することができる。このことは、再生音の可聴性に極めて有利に働く。
【００２１】
また、耳栓１は、耳に接触する部分が遮音部材３であり且つ遮音部材３が柔軟な部材であるので、耳への装着感が良好で、長時間着けていても耳が痛くなり難い。また、耳栓１を耳に装着した状態において、耳栓１が耳から出っ張らないので、耳栓１を耳に装着した状態で、耳を枕など当接対象 （不図示）に当てても、耳栓１が当接対象と干渉し難い。したがって、耳栓１は、寝ホンすなわち、ユーザが寝ながら音楽などを聴く態様での使用に適している。
【００２２】
なお、本発明の実施形態は上記の実施形態に限定されるものではなく、本発明の技術的思想の趣旨を逸脱しない範囲において様々に変更、置換、変形されてもよい。
【００２３】
例えば、上記の例の耳栓１は、所謂ベル型の遮音部材３を備えているが、遮音部材３は所謂弾丸型でも円柱型でもよい。また、遮音部材３は略球形であってもよい。
【００２４】
また、耳栓１は、ドライバユニット２を被覆するキャップ（ケーシング）を更に有し、遮音部材３は、ドライバユニット２を当該キャップごと収容してもよい。
【００２５】
以上のように、本明細書には、以下の内容が開示されている。
（１）
電気信号を音声に変換するドライバユニットと、当該ドライバユニットを外耳道に向けて保持する遮音部材と、を有し、
前記遮音部材は、外耳道を閉塞可能であり、
前記遮音部材は、伸縮性及び柔軟性を有し、
前記遮音部材は、前記ドライバユニットの全体を収容する収容室を有し、
前記収容室の開口部は、樹脂で閉塞されている、耳栓。
この構成によれば、極めて簡単な構成で、音楽などを聴くことができる耳栓を実現することができる。
【００２６】
（２）
前記遮音部材と前記樹脂は互いに結合している、（１）の耳栓。
この構成によれば、遮音部材と樹脂とを一体化させ、ドライバユニットを遮音部材内に固定することができる。
【００２７】
（３）
前記ドライバユニットに一端が接続され、多端が前記樹脂から外に延びるケーブルを有し、
前記ケーブルは、前記樹脂と結合している、（１）又は（２）記載の耳栓。
この構成によれば、ケーブルと樹脂とを一体化させ、ケーブルに掛かる力が、ケーブルとドライバユニットとの接続部に作用するのを防止することができる。
【００２８】
（４）
前記遮音部材は、外耳道に挿入可能であり、
前記収容室の開口部は、前記遮音部材の外耳道への反挿入側端部に設けられている、（１）乃至（３）のいずれかの耳栓。
【００２９】
（５）
前記遮音部材は、前記ドライバユニットの側壁と外耳道の内壁との間を埋める振動伝達材である、（１）乃至（４）のいずれかの耳栓。
【００３０】
（６）
前記遮音部材は、比較的低域の音に比べて比較的高域の音に対する遮音性が高い、（１）乃至（５）のいずれかの耳栓。
【００３１】
（７）
前記遮音部材は、低反発フォーム又は低反発ゴムである、（１）乃至（６）のいずれかの耳栓。
【符号の説明】
【００３２】
１  耳栓
２  ドライバユニット
２ａ  外周面
２ｂ  放音部
３  遮音部材
３ａ  反挿入側端部
４  収容室
４ａ  開口部
４ｂ  内周面
４ｄ  信号端子
５  樹脂
６  ケーブル
６ａ  シース
【図１】
2020078477.tif 000003
【図２】
2020078477.tif 000004
【図３】
2020078477.tif 000005